(57)【特許請求の範囲】
【請求項１】
透液性のトップシートと、不透液性のバックシートと、前記トップシートと前記バックシートとの間に配された吸収体とを備える吸収性物品であって、
前記吸収体は、背側から股下を通って腹側に亘る方向とほぼ等しい方向に長尺に形成され、
前記トップシートの一面及び前記バックシートの前記吸収体側の面のうち、少なくとも何れか一方の面における、前記吸収体の長手方向に略直交する幅方向の両側で前記長手方向に沿う縁部と重なる境目部分よりも前記幅方向の内側に、体液が吸収されているか否かを表す内側体液吸収表示部が前記長手方向に並んで複数設けられ、
当該吸収性物品の人体側の面における前記境目部分よりも前記幅方向の外側に、体液が吸収されているか否かを表す外側体液吸収表示部が設けられており、
前記内側体液吸収表示部と前記外側体液吸収表示部は、前記境目部分を挟んで前記幅方向に並んで設けられ、前記内側体液吸収表示部と前記外側体液吸収表示部の少なくとも一部は、前記トップシート側で前記長手方向に沿って配設された立体ギャザーを挟んで前記幅方向に離間して並んで設けられていることを特徴とする吸収性物品。
【請求項２】
透液性のトップシートと、不透液性のバックシートと、前記トップシートと前記バックシートとの間にて重ねて配された複数の吸収体とを備える吸収性物品であって、
前記複数の吸収体のうち、前記トップシート側に配された第一の吸収体及び当該第一の吸収体の前記バックシート側に配された第二の吸収体は、背側から股下を通って腹側に亘る方向とほぼ等しい方向に長尺に形成され、且つ、前記第一の吸収体の長手方向の長さが前記第二の吸収体の長手方向の長さよりも短くされ、
前記バックシートの前記吸収体側の面における、前記第一の吸収体の前記長手方向の両側で前記長手方向に略直交する幅方向に沿う縁部と前記第二の吸収体の表面とが重なる部分から前記幅方向に沿って前記第一の吸収体および前記第二の吸収体の前記幅方向の両側で前記長手方向に沿う縁部に亘る部分と、前記第二の吸収体の前記長手方向の両側で前記幅方向に沿う縁部と重なる部分とに、体液が吸収されているか否かを表す積層体液吸収表示部が設けられていることを特徴とする吸収性物品。
【発明の詳細な説明】
【技術分野】
【０００１】
本発明は、体液を吸収するインナーパッドや紙おむつなどの吸収性物品に関する。
【背景技術】
【０００２】
従来、透液性のトップシートと、不透液性のバックシートと、トップシートとバックシートとの間に背側から股下を通って腹側にかけて介装された吸収体とを有するパンツ型紙おむつ等の吸収性物品が知られている。
また、吸収性物品としては、紙おむつのトップシートの人体側の面に取り付けられる吸収体を有するインナーパッドも知られている。
【０００３】
ところで、吸収性物品には、排尿などの人体からの体液の排出の有無を判断するために、体液により変色するインジケータが設けられたものが開発されている（例えば、特許文献１参照。）。
【０００４】
【特許文献１】特開２００４−２９８５７１号公報
【発明の開示】
【発明が解決しようとする課題】
【０００５】
ところで、上記特許文献１等の場合、インジケータが吸収性物品の背側から腹側に亘る長手方向に略直交する幅方向の略中央部分に吸収体に沿って設けられている。このため、吸収許容量以上の体液が人体から排出された場合等に、インナーパッドや当該インナーパッドの吸収体の幅方向側の端部から漏れるか否かの判断を行うことができないと言った問題がある。即ち、インジケータが幅方向の略中央部に設けられていただけでは、インナーパッドの吸収体の幅方向側の端部からの体液の漏れやインナーパッドの幅方向側の端部からのおむつ本体に対する体液の漏れの判断が困難となってしまう。
【０００６】
そこで、本発明の課題は、吸収体の幅方向側の端部からの体液の漏れの判断を容易に行うことができる吸収性物品を提供することである。
【課題を解決するための手段】
【０００７】
請求項１に記載の発明は、例えば、図１〜図７等に示すように、
透液性のトップシート（２）と、不透液性のバックシート（３）と、前記トップシートと前記バックシートとの間に配された吸収体（４）とを備える吸収性物品（例えば、インナーパッド１等）であって、
前記吸収体は、背側から股下を通って腹側に亘る方向とほぼ等しい方向に長尺に形成され、
前記トップシートの一面及び前記バックシートの前記吸収体側の面のうち、少なくとも何れか一方の面における、前記吸収体の長手方向（Ｘ）に略直交する幅方向（Ｙ）の両側で前記長手方向に沿う縁部と重なる境目部分（Ｂ）よりも前記幅方向の内側に、体液が吸収されているか否かを表す内側体液吸収表示部（６１、６１Ａ、６１Ｂ、６１Ｃ、６１Ｄ、６１Ｅ）が前記長手方向に並んで複数設けられ、
当該吸収性物品の人体側の面における前記境目部分よりも前記幅方向の外側に、体液が吸収されているか否かを表す外側体液吸収表示部（６２、６２Ｅ等）が設けられており、
前記内側体液吸収表示部と前記外側体液吸収表示部は、前記境目部分を挟んで前記幅方向に並んで設けられ、前記内側体液吸収表示部と前記外側体液吸収表示部の少なくとも一部は、前記トップシート側で前記長手方向に沿って配設された立体ギャザー（５）を挟んで前記幅方向に離間して並んで設けられていることを特徴としている。
【０００８】
ここで、トップシートの一面とは、トップシートの人体側の面若しくは吸収体側の面のことである。
【００１０】
請求項２に記載の発明は、例えば、図８及び図９等に示すように、
透液性のトップシート（２）と、不透液性のバックシート（３）と、前記トップシートと前記バックシートとの間にて重ねて配された複数の吸収体（２０４Ａ、２０４Ｂ等）とを備える吸収性物品（例えば、インナーパッド２０１等）であって、
前記複数の吸収体のうち、前記トップシート側に配された第一の吸収体（２０４Ａ）及び当該第一の吸収体の前記バックシート側に配された第二の吸収体（２０４Ｂ）は、背側から股下を通って腹側に亘る方向とほぼ等しい方向に長尺に形成され、且つ、前記第一の吸収体の長手方向（Ｘ）の長さが前記第二の吸収体の長手方向の長さよりも短くされ、
前記バックシートの前記吸収体側の面における、前記第一の吸収体の前記長手方向の両側で前記長手方向に略直交する幅方向（Ｙ）に沿う縁部と前記第二の吸収体の表面とが重なる部分から前記幅方向に沿って前記第一の吸収体および前記第二の吸収体の前記幅方向の両側で前記長手方向に沿う縁部に亘る部分と、前記第二の吸収体の前記長手方向の両側で前記幅方向に沿う縁部と重なる部分とに、体液が吸収されているか否かを表す積層体液吸収表示部（２６１）が設けられていることを特徴としている。
【発明の効果】
【００１２】
請求項１に記載の発明によれば、トップシートの人体側の面若しくは吸収体側の面、及びバックシートの吸収体側の面のうち、少なくとも何れか一の面における、吸収体の長手方向に略直交する幅方向側の縁部と重なる境目部分に、体液が吸収されているか否かを表す内側体液吸収表示部が長手方向に並んで複数設けられているので、当該内側体液吸収表示部によって人体から体液が排出されて吸収体の幅方向側の縁部にて体液の吸収が行われたこと、即ち、吸収体の幅方向側の端部からの体液の漏れが生じる虞があることを介護者に知らせることができることとなって、吸収体の幅方向側の端部からの体液の漏れの判断を容易に行うことができる。
さらに、複数の内側体液吸収表示部が長手方向に並んでいるので、所定の内側体液吸収表示部の長手方向の位置に応じて吸収体による体液の吸収可能量がどの程度残っているか、即ち、当該吸収性物品を交換する必要があるか否かを介護者に適正に知らせることができる。
また、吸収性物品の人体側の面における吸収体の幅方向側の縁部と重なる境目部分よりも幅方向の外側に、体液が吸収されているか否かを表す外側体液吸収表示部が設けられているので、当該外側体液吸収表示部によって吸収体の幅方向側の端部から体液が漏れたことを介護者に適正に知らせることができる。
【００１４】
請求項２に記載の発明によれば、バックシートの吸収体側の面における、第一の吸収体の長手方向側の縁部と第二の吸収体の表面とが重なり、且つ、第一の吸収体の長手方向に略直交する幅方向側の縁部と重なる境目部分に、体液が吸収されているか否かを表す積層体液吸収表示部が設けられているので、当該積層体液吸収表示部によって人体から体液が排出されて第一の吸収体、特に、その幅方向側の縁部にて体液の吸収が行われたこと、即ち、吸収体の幅方向側の端部からの体液の漏れが生じる虞があり、当該吸収性物品を交換する必要があることを介護者に知らせることができることとなって、吸収体の幅方向側の端部からの体液の漏れの判断を容易に行うことができる。
【発明を実施するための最良の形態】
【００１６】
以下に、本発明について、図面を用いて具体的な態様を説明する。ただし、発明の範囲は、図示例に限定されない。
【００１７】
［実施形態１］
図１は、本発明を適用した実施形態１のインナーパッド１を示す平面図であり、図２は、図１のII−II線におけるインナーパッド１の要部断面図である。
なお、以下の説明にあっては、インナーパッド１がおむつ本体３０２（図１０参照）に取り付けられた状態で人体の背側から股下を通って腹側に亘る方向を長手方向Ｘとし、長手方向Ｘに略直交する方向を幅方向Ｙとする。
【００１８】
実施形態１のインナーパッド１は、例えば、紙おむつ３００（図１０参照）を構成するおむつ本体３０２に取り付けられるものであり、具体的には、図１及び図２に示すように、人体の腹側に配される腹側部１１と、背側に配される背側部１２と、腹側部１１と背側部１２との間にて股下を覆う股下部１３とを備えている。股下部１３の幅方向Ｙ側の両縁部は、例えば、装着される紙おむつ３００の形状に対応させて内側に凹むように形成されている。
【００１９】
また、インナーパッド１は、人体との接触面側に設けられる透液性のトップシート２と、おむつ本体３０２側に装着される不透液性のバックシート３と、トップシート２とバックシート３との間に介装される吸収体４と、トップシート２側に長手方向Ｘに沿って設けられた一対の立体ギャザー５、５と、吸収体４に重なるように当該吸収体４の幅方向Ｙ側の端部よりも内側に設けられた複数の内側体液吸収表示部６１、…と、吸収体４の幅方向Ｙ側の端部よりも外側に設けられた複数の外側体液吸収表示部６２、…等を備えて構成されている。
【００２０】
トップシート２は、例えば、透液性の不織布等で形成されている。また、トップシート２は、例えば、界面活性剤で処理したＰＥ、ＰＰ（ポリプロピレン）、ＰＥＴ（ポリエチレンテレフタレート）等の疎水性合成樹脂繊維からエアースルー製法で作った不織布や、熱エンボスして作った不織布や、ＰＥ、ＰＰ、ＰＥＴ等の疎水性合成樹脂を押し出して熱エンボスして作ったスパンボンド不織布や、メルトブロー不織布等を用いても良い。
【００２１】
バックシート３は、例えば、不透液性（防水性）、より好ましくは、通気性と防水性を有するプラスチックフィルム、例えばＰＥ（ポリエチレン）樹脂によるフィルム等で形成されている。また、バックシート３は、例えば、外側にトップシート２と同系色（例えば白色）の不織布を貼り合わせたクロスライクフィルム等を用いても良い。
【００２２】
吸収体４は、使用時に体液としての尿等の水様成分を吸収する働きをなすものであり、綿やパルプ等の吸収性素材や、繊維或いはフィルム等のシート状基材と高吸収性ポリマーのような高吸水性樹脂とが組み合わされて形成された吸収体コア４１が、透液性のクレープ紙４２により覆われて構成されている。
なお、吸収体４は、上記のように複数層に分かれた構造であっても良いし、単層構造であっても良い。
【００２３】
また、吸収体４は、例えば、その長手方向Ｘがインナーパッド１の長手方向Ｘと略等しくなるように腹側部１１から背側部１２に亘って配設されている。
さらに、吸収体４は、例えば、インナーパッド１の形状に対応させて、腹側部１１側及び背側部１２側に対して股下部１３側が幅狭となるように内側に凹んで形成されている。
【００２４】
立体ギャザー５は、例えば、トップシート２側に長手方向Ｘに沿って配設された不透液性の一対のギャザーシート５１、５１が所定位置にて折り返されることにより形成されている。即ち、トップシート２の表面から延出するように配設されたギャザーシート５１の各々の自由端部側の所定位置が所定方向に折り返されることで、トップシート２の表面から立ち上がった立体ギャザー５の各々が形成されている。
【００２５】
なお、ギャザーシート５１の自由端部側には、例えば、複数の糸ゴム５２、…が略平行に配設されており、これによって、立体ギャザー５が着用者の体型に合わせて伸縮自在に変形することとなって、着用者にフィットしやすい構造となっている。
【００２６】
内側体液吸収表示部６１は、例えば、当該インナーパッド１による体液が吸収されているか否かを表すものであり、水分により発色したり脱色する水溶性のインクや変色性を有するホットメルト接着剤等を適用することができる。
【００２７】
また、内側体液吸収表示部６１は、例えば、トップシート２の表面（一面）における吸収体４の幅方向Ｙ側の縁部と重なる各境目部分Ｂに沿うように長手方向Ｘに並んで設けられている。具体的には、股下部１３、背側部１２及び腹側部１１の各々において、吸収体４の幅方向Ｙ側の両縁部の各々に所定長の内側体液吸収表示部６１が設けられている。
【００２８】
なお、内側体液吸収表示部６１の配置は、例えば、排尿の量や回数などに応じて、即ち、複数回の排尿などにより吸収体４を拡散する体液が到達する位置等を考慮して適宜任意に設定することが好ましい。
【００２９】
外側体液吸収表示部６２は、例えば、当該インナーパッド１による体液が吸収されているか否かを表すものであり、内側体液吸収表示部６１と同様に、水分により発色したり脱色する水溶性のインクや変色性を有するホットメルト接着剤等を適用することができる。
【００３０】
また、外側体液吸収表示部６２は、例えば、ギャザーシート５１の表面（人体側の面）において各境目部分Ｂよりも外側に、各内側体液吸収表示部６１に対応するように長手方向Ｘに並んで複数設けられている。具体的には、背側部１２及び腹側部１１にあっては、両立体ギャザー５、５よりも幅方向Ｙの外側にて内側体液吸収表示部６１と離間させて外側体液吸収表示部６２が設けられ、また、股下部１３にあっては、両立体ギャザー５の各々を挟むようにして内側体液吸収表示部６１と離間させて外側体液吸収表示部６２が設けられている。
【００３１】
以上のように、実施形態１のインナーパッド１によれば、トップシート２の表面における吸収体４の幅方向Ｙ側の縁部と重なる境目部分Ｂに内側体液吸収表示部６１が長手方向Ｘに並んで複数設けられているので、当該内側体液吸収表示部６１によって人体から体液が排出されて吸収体４の幅方向Ｙ側の縁部にて体液の吸収が行われたこと、即ち、吸収体４の幅方向Ｙ側の端部からの体液の漏れが生じる虞があることを介護者に知らせることができることとなって、吸収体４の幅方向Ｙ側の端部からの体液の漏れの判断を容易に行うことができる。
さらに、内側体液吸収表示部６１が腹側部１１や背側部１２の長手方向Ｘに並んで設けられているので、変色する内側体液吸収表示部６１の長手方向Ｘの位置に応じて吸収体４による体液の吸収可能量がどの程度残っているか、即ち、当該インナーパッド１を交換する必要があるか否かを介護者に適正に知らせることができる。これにより、インナーパッド１を適正なタイミングで交換することによりインナーパッド１からの体液の漏れを未然に防ぐことができる。
【００３２】
また、トップシート２の表面における吸収体４の幅方向Ｙ側の縁部と重なる境目部分Ｂよりも幅方向Ｙの外側に複数の外側体液吸収表示部６２が設けられているので、当該外側体液吸収表示部６２によって吸収体４の幅方向Ｙ側の端部から体液が漏れたことを介護者に適正に知らせることができる。
このとき、内側体液吸収表示部６１及び外側体液吸収表示部６２により、インナーパッド１をおむつ本体から取り外さなくとも、当該インナーパッド１から体液が漏れたか否かを適正に判断することができることとなる。
【００３３】
なお、上記実施形態１では、外側体液吸収表示部６２を設けるようにしたが、これに限られるものではなく、外側体液吸収表示部６２を設けるか否かは適宜変更することができる（図４及び図５等参照）。
また、内側体液吸収表示部６１の形状や配置、並びにインナーパッド１の形状等は、上記実施形態１に例示したものに限られるものではなく、適宜変更することができる。
以下に、インナーパッド１の変形例１〜５について、図３〜図７を適宜参照して説明する。
【００３４】
＜変形例１＞
変形例１のインナーパッド１Ａにあっては、例えば、図３に示すように、背側部１２及び腹側部１１に吸収体４の幅方向Ｙ側の両縁部に亘るような形状の内側体液吸収表示部６１Ａが設けられている。
即ち、内側体液吸収表示部６１Ａは、少なくとも吸収体４の幅方向Ｙ側の両縁部に重なる各境目部分Ｂに沿うように長手方向Ｘに並んで設けられていれば良く、このような構成とすることにより、吸収体４の幅方向Ｙ側の端部からの体液の漏れが生じる虞があることだけでなく、吸収体４の長手方向Ｘ側の端部からの体液の漏れが生じる虞があることを介護者に知らせることができることとなって、吸収体４の端部からの体液の漏れの判断を容易に行うことができる。
また、本変形例１にあっては、吸収体４の幅方向Ｙ側の各端部を挟むように内側体液吸収表示部６１及び外側体液吸収表示部６２が長手方向Ｘに亘って複数並設され、さらに、立体ギャザー５の各々を挟むようにして内側体液吸収表示部６１が長手方向Ｘに亘って複数並設されている。これにより、吸収体４の幅方向Ｙ側の端部からの体液の漏れや立体ギャザーの外側からの体液の漏れの判断をより適正に、且つ、容易に行うことができる。
【００３５】
＜変形例２＞
変形例２のインナーパッド１Ｂにあっては、例えば、図４に示すように、内側体液吸収表示部６１が背側部１２及び腹側部１１にのみ設けられており、当該内側体液吸収表示部６１Ｂは、体液の吸収量を所定の数値で表すようになっている。具体的には、例えば、一回の排尿量を１５０ｃｃとした場合に、背側部１２及び腹側部１１の各々にて排尿４回分に対応する内側体液吸収表示部６１Ｂが設けられている。これにより、所定の計測機器を用いることなく排尿量の計測を簡便に行うことができる。
なお、内側体液吸収表示部６１Ｂの配置は、一回の排尿量に応じて適宜変更することができる。
【００３６】
＜変形例３＞
変形例３のインナーパッド１Ｃにあっては、例えば、図５に示すように、上記変形例２のように排尿量を数値で表す内側体液吸収表示部６１Ｃに替えて、所定のマーク（図５にあっては、星マーク）で排尿の程度を表す内側体液吸収表示部６１Ｃが設けられている。
これにより、例えば、硬縮や筋萎縮等が生じる体型においては、規定の吸収量設定にもかかわらず少量で漏れる場合があることから、漏れやすいかどうかの個体差の判別の利用に用いることができる。
【００３７】
＜変形例４＞
変形例４のインナーパッド１Ｄにあっては、例えば、図６に示すように、内側体液吸収表示部６１Ｄがトップシート２の吸収体４側の面に設けられている。
即ち、内側体液吸収表示部６１Ｄは、トップシート２の人体側となる表面か吸収体４側となる面の何れか一面に設けられていれば良い。
【００３８】
＜変形例５＞
変形例５のインナーパッド１Ｅにあっては、例えば、図７に示すように、背側部１２、腹側部１１及び股下部１３の幅が略等しくされており、当該インナーパッド１Ｅの形状に対応させて、吸収体４Ｅの幅も長手方向Ｘに亘って略等しくされている。
そして、腹側部１１及び背側部１２において、吸収体４Ｅの幅方向側の両縁部に亘るように内側体液吸収表示部６１Ｅが設けられ、また、吸収体４Ｅの縁部よりも両外側に外側体液吸収表示部６２Ｅが設けられており、これら内側体液吸収表示部６１Ｅと外側体液吸収表示部６２Ｅとにより両立体ギャザー５、５の各々が挟まれている。
【００３９】
［実施形態２］
以下に、実施形態２のインナーパッド２０１について、図８及び図９を参照して説明する。
ここで、図８は、本発明を適用した実施形態２のインナーパッド２０１を示す平面図であり、図９は、図８のIＸ−IＸ線におけるインナーパッド２０１の要部断面図である。
なお、実施形態２のインナーパッド２０１は、第一の吸収体２０４Ａ及び第二の吸収体２０４Ｂの形状及び配置並びに積層体液吸収表示部２６１以外の点では上記実施形態１と略同様であるので、同様の構成には同一の符号を付してその説明を省略する。
【００４０】
実施形態２のインナーパッド２０１は、例えば、図８及び図９に示すように、積層された第一の吸収体２０４Ａ及び第二の吸収体２０４Ｂを備え、これら第一の吸収体２０４Ａの長手方向Ｘ側の縁部と第二の吸収体２０４Ｂの表面とが重なる境目部分２Ｂに体液が吸収されているか否かを表す積層体液吸収表示部２６１が設けられている。
【００４１】
即ち、第一の吸収体２０４Ａ及び第二の吸収体２０４Ｂは、例えば、立体ギャザー５の内側に配置されるように長手方向Ｘに長尺な略矩形状に形成され、第一の吸収体２０４Ａがトップシート２側に配され、第二の吸収体２０４Ｂがバックシート３側に配されている。
また、第一の吸収体２０４Ａの長手方向Ｘの長さは、第二の吸収体２０４Ｂの長手方向Ｘの長さよりも短くされ、第二の吸収体２０４Ｂの内側に第一の吸収体２０４Ａが配置されるように積層されている。
【００４２】
積層体液吸収表示部２６１は、例えば、バックシート３の内面にて、第一の吸収体２０４Ａの長手方向Ｘ側の縁部と第二の吸収体２０４Ｂの表面とが重なる境目部分２Ｂと、第二の吸収体２０４Ｂの長手方向Ｘ側の縁部と重なる部分に、第一の吸収体２０４Ａ及び第二の吸収体２０４Ｂの幅方向Ｙ側の縁部に亘るように配設されている。
【００４３】
以上のように、実施形態２のインナーパッド２０１によれば、バックシート３の第二の吸収体２０４Ｂ側の面における、第一の吸収体２０４Ａの長手方向Ｘ側の縁部と第二の吸収体２０４Ｂの表面とが重なり、且つ、第一の吸収体２０４Ａの長手方向Ｘに略直交する幅方向Ｙ側の縁部と重なる境目部分２Ｂに積層体液吸収表示部２６１が設けられているので、当該積層体液吸収表示部２６１によって人体から体液が排出されて第一の吸収体２０４Ａ、特に、その幅方向Ｙ側の縁部にて体液の吸収が行われたこと、即ち、吸収体４の幅方向Ｙ側の端部からの体液の漏れが生じる虞があり、当該インナーパッド２０１を交換する必要があることを介護者に知らせることができることとなって、吸収体２０４Ａ、２０４Ｂの幅方向Ｙ側の端部からの体液の漏れの判断を容易に行うことができる。
【００４４】
なお、上記実施形態２では、積層体液吸収表示部２６１として、第一の吸収体２０４Ａ及び第二の吸収体２０４Ｂの幅方向Ｙ側の縁部に亘るように配設されたものを例示したが、これに限られるものではなく、少なくとも吸収体の幅方向Ｙ側の縁部と重なる部分に配設されていれば良い。
また、吸収体２０４Ａ、２０４Ｂが２つ重ねられたものを例示したが、これに限られるものではなく、重ねられる吸収体４の個数は、体液の吸収量等に応じて適宜変更することができる。
【００４５】
さらに、上記実施形態１及び２にあっては、吸収性物品として、おむつ本体に取り付けられるインナーパッド１等を例示して説明したが、これに限られるものではなく、例えば、インナーパッド１を備えないで体液の吸収を単体で行う紙おむつであっても良い。
【００４６】
［実施形態３］
以下に、実施形態３の紙おむつ３００について、図１０及び図１１を参照して説明する。
ここで、図１０は、本発明を適用した実施形態３のパンツ型の紙おむつ３００の展開図であり、図１１は、図１０のＸI−ＸI線における紙おむつ３００の要部断面図である。
なお、実施形態３の紙おむつ３００に備わるインナーパッド３０１は、本体側体液吸収表示部３６１以外の点では上記実施形態１と略同様であるので、同様の構成には同一の符号を付してその説明を省略する。
【００４７】
実施形態３の紙おむつ３００は、例えば、人体の股下側を腹側から背側にかけて覆うものであり、具体的には、図１０及び図１１に示すように、インナーパッド３０１と、インナーパッド３０１が取り付けられるおむつ本体３０２等を備えている。
【００４８】
インナーパッド３０１は、例えば、内側体液吸収表示部６１及び外側体液吸収表示部６２を具備しない以外の点では実施形態１のインナーパッド３０１と略同様の構成となっている。
【００４９】
おむつ本体３０２は、インナーパッド３０１の腹側部１１が取り付けられる腹側部取付部３１１と、インナーパッド３０１の背側部１２が取り付けられる背側部取付部３１２と、腹側部取付部３１１と背側部取付部３１２とに連続して設けられ、インナーパッド３０１の股下部１３が配置される股下部配置部３１３と、おむつ本体３０２を人体に装着するための止着部３１４等を具備している。
【００５０】
腹側部取付部３１１の長手方向Ｘ側の端部と、背側部取付部３１２の長手方向Ｘ側の端部とは、紙おむつ３００が人体に装着される際に、胴周り部３１５を形成するようになっている。具体的には、胴周り部３１５は、腹側部取付部３１１の股下部配置部３１３よりも両外側に延出した腹側延出部３１１Ａと、背側部取付部３１２の股下部配置部３１３よりも両外側に延出した背側延出部３１２Ａとにより形成されるようになっている。
背側部取付部３１２の長手方向Ｘ側の縁部の略中央部には、例えば、糸ゴム等の弾性部材が幅方向Ｙに沿って設けられ、この弾性部材により平面ギャザー３１６が形成され、着用者の胴周りにフィットするように伸縮自在な構造となっている。また、背側延出部３１２Ａには、それぞれの側縁部から外側に突出するようにして止着部３１４が設けられている。
股下部配置部３１３の内側に凹むように形成された両縁部は、人体に装着された際に着用者の脚の周りを囲む脚開口部３１７を構成するようになっている。
【００５１】
おむつ本体３０２は、例えば、人体との接触面側に設けられる透液性の不織布等からなる本体側トップシート３２０と、装着時に外部側に設けられる不透液性の本体側バックシート３３０と、本体側トップシート３２０と本体側バックシート３３０との間に介装される本体側吸収体３４０と、本体側トップシート３２０側の本体側吸収体３４０の両側部に、おむつ本体３０２の長手方向Ｘに沿って設けられた一対の本体側立体ギャザー３５０、３５０等を備えている。
【００５２】
本体側吸収体３４０は、例えば、インナーパッド３０１に備わる吸収体４と略同様の構成となっており、その説明を省略する。
【００５３】
本体側トップシート３２０及び本体側バックシート３３０は、例えば、以下に説明する以外の点はインナーパッド３０１に備わるトップシート２及びバックシート３のそれぞれと略同様の構成となっている。
即ち、本体側トップシート３２０の内面（本体側吸収体３４０側の面）及び本体側バックシート３３０の内面（本体側吸収体３４０側の面）における、インナーパッド３０１の幅方向Ｙ側の縁部と重なる境目部分３Ｂに、本体側体液吸収表示部３６１が長手方向Ｘに並んで複数設けられている。具体的には、本体側体液吸収表示部３６１は、インナーパッド３０１の幅方向Ｙ側の縁部に内側から外側に亘って跨るように本体側トップシート３２０の内面及び本体側バックシート３３０の内面に設けられている。
【００５４】
なお、本体側バックシート３３０は、例えば、当該本体側バックシート３３０に設けられた本体側体液吸収表示部３６１を外側から視認することができるように光透過性を有する材料から構成されるのが好ましい。これにより、紙おむつ３００を取り外すことなくインナーパッド３０１からの体液の漏れの判断を適正に行うことができることとなる。
【００５５】
本体側立体ギャザー３５０は、本体側トップシート３２０側に腹側部取付部３１１の長手方向Ｘ側の縁部から背側部取付部３１２の長手方向Ｘ側の縁部に亘って配設された不透液性の一対の本体側ギャザーシート３５１、３５１が所定位置にて折り返されることにより形成されている。
即ち、本体側トップシート３２０の表面から延出するように配設された本体側ギャザーシート３５１の各々の自由端部側の所定位置が所定方向に折り返されることで、本体側トップシート３２０の表面から立ち上がった本体側立体ギャザー３５０の各々が形成されている。
【００５６】
また、本体側ギャザーシート３５１は、例えば、腹側部取付部３１１及び背側部取付部３１２における幅方向Ｙの長さが股下部配置部３１３の幅方向Ｙの長さよりも長くなっている。即ち、本体側ギャザーシート３５１と本体側トップシート３２０との間に、インナーパッド３０１の腹側部１１及び背側部１２の各々の幅方向Ｙ側の両縁部が係止されるポケット部３７０が形成されている。
これにより、おむつ本体３０２に対してインナーパッド３０１を取り付けることができるようになっている。
【００５７】
以上のように、実施形態３の紙おむつ３００によれば、本体側トップシート３２０の内面及び本体側バックシート３３０の内面における、インナーパッド３０１の幅方向Ｙ側の縁部と重なる境目部分３Ｂに本体側体液吸収表示部３６１が設けられているので、当該本体側体液吸収表示部３６１によって人体から排出された体液がインナーパッド３０１にて吸収されずに、当該インナーパッド３０１の幅方向Ｙ側の端部から漏れが生じて、インナーパッド３０１を交換する必要があることを介護者に知らせることができることとなって、インナーパッド３０１の幅方向Ｙ側の端部からの体液の漏れの判断を容易に行うことができる。
【００５８】
また、本体側体液吸収表示部３６１が本体側トップシート３２０の内面と本体側バックシート３３０の内面に設けられているので、例えば、本体側トップシート３２０の内面に設けられた本体側体液吸収表示部３６１のみが変色している場合には、インナーパッド３０１から体液が漏れた量が少量程度であると判断され、一方、本体側トップシート３２０の内面と本体側バックシート３３０の内面の双方の本体側体液吸収表示部３６１が変色している場合には、大量の体液がインナーパッド３０１から漏れていると判断することができる。
このように、本体側トップシート３２０の内面と本体側バックシート３３０の内面の双方に本体側体液吸収表示部３６１を設けることにより、体液がインナーパッド３０１から漏れた量の判断をより適正に行うことができる。
【００５９】
なお、上記実施形態３では、本体側体液吸収表示部３６１を本体側トップシート３２０の吸収体４側の面及び本体側バックシート３３０の吸収体４側の面の双方に設けるようにしたが、これに限られるものではなく、これら双方の面のうち、少なくとも何れか一方の面に設けられていれば良い。
【００６０】
また、本体側体液吸収表示部３６１は、例えば、紙おむつ３００の使用により体液によって変色したものが例えば乾燥等により使用前の色状態に戻るような材料から構成されていても良い。これにより、インナーパッド３０１の交換後にて再使用されるおむつ本体３０２であっても、インナーパッド３０１からの体液の漏れの判断を適正に行うことができる。
【００６１】
さらに、上記実施形態３では、本体側吸収体３４０の内側にインナーパッド３０１が配置されるような構成の紙おむつ３００を例示したが、これに限られるものではなく、本体側吸収体３４０に当該本体側吸収体３４０とほぼ等しい大きさに形成されたインナーパッド３０１が重ねられた構成のものであっても良い。
また、上記実施形態３にあっては、図７に示すような外形が略矩形状のインナーパッド３０１を取り付け自在な構成として、当該インナーパッド３０１等を適用しても良い。
さらに、上記実施形態３では、おむつ本体３０２のポケット部３７０にインナーパッド３０１の腹側部１１及び背側部１２の各々の幅方向Ｙ側の両縁部を係止させることによりインナーパッド３０１をおむつ本体３０２に取り付けるような構成としたが、これに限られるものではなく、例えば、インナーパッド３０１のおむつ本体３０２側の面にテープ等の粘着部材（図示略）を貼り付けて、当該粘着部材によりインナーパッド３０１をおむつ本体３０２に取り付けるような構成としても良い。
【００６２】
なお、本発明は、上記実施形態１〜３に限定されることなく、本発明の趣旨を逸脱しない範囲において、種々の改良並びに設計の変更を行っても良い。
例えば、上記実施形態１〜３に係るインナーパッド１等において、トップシート２の吸収体４側の面に水分等により変色するホットメルト等を配置して、インナーパッド１のムレを判別することができるようにしても良い。
【図面の簡単な説明】
【００６３】
【図１】本発明を適用した吸収性物品として例示する実施形態１のインナーパッドを示す平面図である。
【図２】図１のII−II線におけるインナーパッドの要部断面図である。
【図３】変形例１のインナーパッドを示す平面図である。
【図４】変形例２のインナーパッドを示す平面図である。
【図５】変形例３のインナーパッドを示す平面図である。
【図６】変形例４のインナーパッドを示す要部断面図である。
【図７】変形例５のインナーパッドを示す平面図である。
【図８】本発明を適用した吸収性物品として例示する実施形態２のインナーパッドを示す平面図である。
【図９】図８のIＸ−IＸ線におけるインナーパッドの要部断面図である。
【図１０】本発明を適用した実施形態３のパンツ型の紙おむつの展開図である。
【図１１】図１０のＸI−ＸI線における紙おむつの要部断面図である。
【符号の説明】
【００６４】
１、１Ａ、１Ｂ、１Ｃ、１Ｄ、１Ｅ、２０１、３０１  インナーパッド（吸収性物品）
２            トップシート
３            バックシート
４、４Ｅ      吸収体
６１、６１Ａ、６１Ｂ、６１Ｃ、６１Ｄ、６１Ｅ  内側体液吸収表示部
６２、６２Ｅ  外側体液吸収表示部
２０４Ａ      第一の吸収体
２０４Ｂ      第二の吸収体
２６１        積層体液吸収表示部
３００        紙おむつ
３０２        おむつ本体
３２０        本体側トップシート
３３０        本体側バックシート
３４０        本体側吸収体
３６１        本体側体液吸収表示部
Ｘ            長手方向
Ｙ            幅方向
【図１】
0004833628.tif 000002
【図２】
0004833628.tif 000003
【図３】
0004833628.tif 000004
【図４】
0004833628.tif 000005
【図５】
0004833628.tif 000006
【図６】
0004833628.tif 000007
【図７】
0004833628.tif 000008
【図８】
0004833628.tif 000009
【図９】
0004833628.tif 000010
【図１０】
0004833628.tif 000011
【図１１】
0004833628.tif 000012